(57)【要約】【課題】  本発明は、サッシの外周のサッシ部の内側に取付けられたガラス面のみならず、サッシの外周の金属サッシ部に生じる結露を防止できる結露防止構造を提供する。【解決手段】  本発明の結露防止構造は、建造物の開口に取付けられ、少なくとも上下の横枠４と左右の縦枠５とにより囲まれた金属サッシ部６を有し、該金属サッシ部６の内側にガラス７が取付けられた金属サッシ３おいて、該金属サッシ部６及びガラス７の室内側及び／又は室外側を覆い、外周側が金属サッシ部６を覆うサッシ部被覆部材８ａであり、内側がガラス７を覆うガラス被覆部材８ｂである非金属製封止板８と、該非金属製封止板８を金属サッシ部６の室内側及び／又は室外側に取付ける封止板取付け手段９と、該非金属製封止板８と前記ガラス７間に形成された気体層１１と、を有することを特徴とする。【選択図】  図１
2009091721.tif 000002
【特許請求の範囲】
【請求項１】
建造物の開口に取付けられ、少なくとも上下の横枠と左右の縦枠とにより囲まれたサッシ部を有し、該サッシ部の内側にガラスが取付けられた結露防止構造において、
前記サッシ部及びガラスの室内側及び／又は室外側を覆い、外周側がサッシ部と気密に封止される非金属製封止板を設け、
該非金属製封止板と前記ガラスとの間に密閉された気体層を形成したことを特徴とする結露防止構造。
【請求項２】
前記非金属製封止板が前記サッシ部の全面を覆うことを特徴とする請求項１に記載の結露防止構造。
【請求項３】
前記非金属製封止板が、一体で形成された透明な合成樹脂製の板でつくられていることを特徴とする請求項１または２に記載の結露防止構造。
【請求項４】
前記弾性体が、ゴム、シリコン樹脂、エラストマー樹脂などの弾力性に富んだ素材によりつくられ、該弾性体により前記気体層の気密性が保持されていることを特徴とする請求項１ないし３のいずれかに記載の結露防止構造。
【請求項５】
前記サッシが前記１つの開口に複数枚引き違い戸として取り付けられ、隣接する２枚のサッシを閉じた状態にロックするロック部材を前記隣接する２枚のサッシの一方に設け、２枚のサッシの他方に前記ロック部材と係合するロック受け部材を設け、該ロック受け部材を前記他方のサッシの非金属製封止板に形成された開口空間内に設け、該開口空間が、前記非金属製封止板に取り付けられて前記気体層と開口空間内とを気密に分けるケーシングによって形成されていることを特徴とする請求項１ないし４のいずれかに記載の結露防止構造。
【発明の詳細な説明】
【技術分野】
【０００１】
本発明は、結露防止構造に関し、さらに詳しくは、建造物の開口に取付けられ、少なくとも上下の横枠と左右の縦枠とにより囲まれた金属サッシ部を有し、該金属サッシ部の内側にガラスが取付けられた金属サッシの結露防止構造に関する。
【背景技術】
【０００２】
従来技術として、特許文献１（実用新案登録第３１２６９０９号）があった。特許文献１のものはガラスの表面が薄板や合成樹脂板で覆われており、ガラス表面の結露を防ぐことができる構成となっている。しかしながら、これらの薄板や合成樹脂板は、（金属製）サッシの表面に露出部分があるがために露出しているサッシ部分に結露が生じ、この結露が流れ落ちて敷居や周囲の内壁面を汚すことになる。また、特許文献１のものは、サッシ枠体周面にマジックテープ（登録商標）を貼着して剛性ある薄板でガラスの表面を覆うように取付けるため、薄板とガラスの間の気体層内に気密性を保てず、ガラスの表面にしばしば結露が生じることになる。このガラスの表面の結露を防ぐための調湿剤を気体層内に投入せざるを得なかった。
【特許文献１】実用新案登録第３１２６９０９号
【発明の開示】
【発明が解決しようとする課題】
【０００３】
しかしながら、金属サッシ部の内側にガラスが取付けられた金属サッシの場合、金属サッシ部を残して内側のガラスを覆う非金属製被覆部材を取付けたとしても金属サッシ部に結露が生じる。したがって、金属サッシ全体で見ると、結露防止対策としては不完全であり、金属サッシ部に生じた結露が敷居や敷居の下の内壁面を濡らしてしまうことになる。本発明は、このような現状から金属サッシのガラスと金属サッシ部の両方の結露を防止できる結露防止構造を提供しようとするものである。
【課題を解決するための手段】
【０００４】
本発明の請求項１の結露防止構造は、建造物の開口に取付けられ、少なくとも上下の横枠と左右の縦枠とにより囲まれたサッシ部を有し、該サッシ部の内側にガラスが取付けられた結露防止構造において、前記サッシ部及びガラスの室内側及び／又は室外側を覆い、外周側がサッシ部と気密に封止される非金属製封止板を設け、該非金属製封止板と前記ガラスとの間に密閉された気体層を形成したことを特徴としている。
【０００５】
本発明の結露防止構造は、前記非金属製封止板が前記サッシ部の全面を覆う構成としたり、前記非金属製封止板を一体で形成された透明な合成樹脂製の板でつくられた構成としたり、前記弾性体をゴム、シリコン樹脂、エラストマー樹脂などの弾力性に富んだ素材によりつくられた構成としたりすることができる。
【０００６】
また、前記サッシが前記１つの開口に複数枚引き違い戸として取り付けられ、隣接する２枚のサッシを閉じた状態にロックするロック部材を前記隣接する２枚のサッシの一方に設け、２枚のサッシの他方に前記ロック部材と係合するロック受け部材を設け、該ロック受け部材を前記他方のサッシの非金属製封止板に形成された開口空間内に設け、該開口空間が、前記非金属製封止板に取り付けられて前記気体層と開口空間内とを気密に分けるケーシングによって形成されている構成とすることができる。
【発明の効果】
【０００７】
本発明の請求項１の結露防止構造は、外周に少なくとも上下の横枠と左右の縦枠とにより囲まれたサッシ部を有し、このサッシ部の内側にガラスが取付けられたサッシを建造物の窓、明り取り、出入り口などの開口に取付け、この外周側がサッシ部を覆うサッシ部被覆部材でサッシ部及びガラスの室内側（及び／又は室外側）の全体を覆い、気密状態に取付けることで、非金属製封止板と前記ガラスの間に気体層を形成させたものである。このような構成により、室内外の気温差を遮断するからガラスの室内側にも非金属製封止板の室内側にも結露が生ずることがなくなった。その上、非金属製封止板とガラスの間に形成された気体層には、断熱効果が備わっており夏の冷房時や冬の暖房時の冷暖房効果の促進効も増進できた。
【０００８】
また、前記気体層を前記非金属製封止板とサッシ部の間に介在させた弾性体により気密状態で封止させることで、室内の気温によるガラスへの影響が大幅に減少し、上記の効果に加え気体層の断熱効果を促進できる。
【０００９】
請求項２の結露防止構造は、非金属製封止板が前記サッシ部の全面を覆う構成としたので、サッシ部の結露も防止することができる。
【００１０】
請求項３の結露防止構造は、請求項１または２の非金属製封止板全体を一体で形成した透明な合成樹脂製の板でつくられているので、構造が簡単で取り付けが容易になった。また、透明にすることで、ガラスの透明性を損なうことがない。合成樹脂製の一体形成にすることで、非金属製封止板を低コストで製造できる。非金属製封止板を、強度に優るポリカーボネートでつくれば、ガラスを破壊して侵入しようとしてもポリカーボネート製封止板を容易に破壊できないから高度の防犯効果を奏する。さらに、コストの安いポリカーボネート製封止板を使うことによりペアガラスに交換するよりも改造コストが大幅に低減できる。熱伝導率もガラスを１０とすると、アルミの熱伝導が２０８０で、ポリカーボネートは１．９であるから、上記構造の結露防止構造は、このポリカーボネートの特性を充分に活かしきれる構造である。
【００１１】
請求項５の結露防止構造は、ロック機構に特徴がある。複数枚のサッシが引き違い戸として取り付けられた場合、室外側から開かないようにするためにロック機構を設ける必要となる。本発明では、このロック機構を、一方のサッシに設けられたロック部材と、他方のサッシに設けられたロック受け部材で構成している。そして、ロック受け部材をケーシングで囲うことで、気体層と気密に分離させ、結露を防止することができる。
【発明を実施するための最良の形態】
【００１２】
以下、本発明の実施の形態を添付図面を参照して説明する。図１は、建造物の開口に取付けられた金属サッシの縦断面図であり、図２は、図１の金属サッシの１枚の要部拡大縦断面図である。本発明の結露防止構造は、引き違い戸を構成する２枚で１対の金属サッシを例示して説明するが、１対ではなく１枚だけの金属サッシや木製或は合成樹脂製サッシにも適用できるものである。図示したように本発明の結露防止構造は、建造物の窓、明り取り、出入り口などの開口に取付けられた鴨居１と敷居２の間に開閉自在（図１では、進退動自在に開閉できるが、引き違い戸かドアーかの開閉方向は問わず、開閉不能な固定式でも良い）に金属サッシ３（６，７）を取付ける。この金属サッシ３は、少なくとも上下の横枠４と左右の縦枠５とにより囲まれた金属サッシ部６（４，５）を有しており、この金属サッシ部６の内側にガラス７が取付けられている。この金属サッシ部６及びガラス７（シングルガラスでもペアガラスでも良い）の室内側（及び／又は室外側）を覆う非金属製封止板８を後述する封止板取付け手段９により取付ける（図１では、室内側と室外側に取付けた２例を併記したが、室内側と室内側あるいは室内側と室外側に取付けても良い）。非金属製封止板８は、外周側が金属サッシ部６を覆うサッシ部被覆部材８ａであり、内側がガラス５を覆うガラス被覆部材８ｂである。非金属製封止板８(８ａ，８ｂ)は、打撃など衝撃を受けても容易に破壊されない所定以上の強度と断熱性を備えた板であれば、透明、不透明を問わず、如何なる素材でつくられたものでも良く、合成樹脂や木質系が考えられる。しかしながら、防犯面とコストを考えると強度のある合成樹脂、中でもポリカーボネートが好ましい。また、透明であれば、視界を確保できるので、望ましい。
【００１３】
図２に示すように該非金属製封止板８を金属サッシ部６の室内側（及び／又は室外側）に気密に取付ける封止板取付け手段９としては、金属サッシ部６と重なる非金属製封止板８の外周部をネジで９ａ止めたり、断面コ状の留め金９ｂにより金属サッシ３全体を覆うように重ねた非金属製封止板８の外縁を側方から嵌め込み固定したりできる。なお、封止板取付け手段９は、上の例に拘ることなく、非金属製封止板８を金属サッシ３全体を覆うように重ねた状態で接着剤や他の手段などで固定できれば、如何なる形状や手段であっても良い。なお、１０は戸車である。
【００１４】
以上のようにして非金属製封止板８に金属サッシ３全体を覆うように重ねて固定した結果、非金属製封止板８とガラス７の間に気密な気体層１１が形成される。金属サッシ３の構造からして一般に気体層１１の厚さがシングルガラス７で８ｍｍ、ペアガラスで６ｍｍとなり、優れた断熱効果を発揮する（気体層の厚さは、３０ｍｍを超えると、空気の対流が起こり断熱効果が低下すると言われており、ガラスメーカーによっては、３０ｍｍ ではなく１２ｍｍが限界だとしている）。
【００１５】
図３は、本発明の第２実施例の金属サッシ部の要部拡大縦断面図である。この実施例では、図に示すように、非金属製封止板８と金属サッシ３の外周部の金属サッシ部６との間に弾性体１２を介在させることにより気体層１１を気密状態で封止する。弾性体１２としては、ゴム、シリコン樹脂、エラストマー樹脂などの弾力性に富んだ素材が考えられる。以上の構成の気体層１１は、非金属製封止板８と金属サッシ部６の間の隙間を埋めて密封されるから、気体層１１と室内外との温度差の影響を受け難くなり室内の冷暖房効果を高めることができるようになった。Ｘは、金属サッシ部６にガラス７を固定するシーリング材である。
【００１６】
図４は、本発明の第３実施例の金属サッシ部の要部拡大縦断面図である。この実施例では、前記非金属製封止板８を外周側のサッシ部被覆部材８ａと、内側のガラスを覆うガラス被覆部材８ｂとに分割している。このサッシ部被覆部材８ａとガラス被覆部材８ｂとを異なる素材でつくることもできる。たとえば、サッシ部被覆部材８ａを透明なアクリル樹脂や木製でつくり、中央のガラス被覆部材８ｂを強度に優れたポリカーボネートでつくるなど、素材の組合せは、任意であり、サッシ部被覆部材８ａとガラス被覆部材８ｂの取付け方も任意である。
【００１７】
上記構成の結露防止構造は、封止板取付け手段９により非金属製封止板８を金属サッシ３を覆うように取付けたので、中央のガラス７面の室内側はもちろん、金属サッシ３の外周の金属サッシ部４の結露を防ぐことができた。しかも、非金属製封止板８が１枚の板でつくられているので、この非金属製封止板８の外周を金属サッシ部６に取付けるだけで金属サッシ３の室内側全体の結露を防ぐことができた。また、このようにして封止板取付け手段９により非金属製封止板８により金属サッシ３を覆うように取付けたので、非金属製封止板８とガラス７の間に形成された空気等の入った気体層１１の厚さは、シングルガラスで８ｍｍ、一般のペアガラスで６ｍｍ程度となり、気体層１１内で対流が起きない範囲であるから、断熱効果が大きい。さらに、１枚板でつくった非金属製封止板８は、低コストで透明性（着色可能、ハーフミラーもあり）に優れ、結露防止効果が高く、高強度で、耐久性に優れたポリカーボネートを使うことにより高い防犯効果も得られる。その上、熱伝導率を比較すると、ガラス７を１０とすると、アクリルやポリカーボネートの熱伝導率は１．９であり、アルミの熱伝導率は２０８０であるから、加工性の良さと軽量と言うことで多用されているアルミサッシの低い断熱効果という欠点を補うことができた。
【００１８】
図５は本発明の第４実施例の金属サッシ部の要部拡大縦断面図である。この実施例は、サッシを引き違い戸として使用した場合のロック機構に特徴を有する。図に示すように、室内側のサッシの金属サッシ部４において、室内側に露出する側部を、サッシ部被覆部材８ｃで覆っている。前記気体層１１内に突設されたロック受部材１５の室内側の非金属製封止板８ｂに開口１６を形成し、この開口１６と連通し、ロック受部材１５を内包するケーシング１７を設ける。ケーシング１７の内部が開口空間となる。この開口１６は、ロック受部材１５の室内側の位置の非金属製封止板８ｂに形成される。このロック受部材１５は、隣接する金属サッシ３の側部に取付けられたロック部材１８に係止されて引き違い戸を構成する１対の金属サッシ３がロック固定されるものである。ロック受部材１５は、金属サッシ３の内側のガラス７側でケーシング１７に内包される。このケーシング１７に内包されたロック受部材１５の基部とケーシング１７は、シーリング材１９により密封され、気体層１１との間の気密性が保持されている。上記構成を有する結露防止構造は、前述の構成の各種結露防止構造の効果を損なうことがない。
【００１９】
尚、以上、説明した本発明の結露防止構造の実施例は、金属サッシ３を例示した説明であるが、金属サッシ３の場合のみならず合成樹脂製サッシや木製サッシにも適応できる。もちろん、本発明の結露防止構造は、上記実施例に限定される物ではなく、発明の主旨の範囲内において種々変更を加えることができる。
【産業上の利用可能性】
【００２０】
本発明の結露防止構造は、建造物の開口に取付ける金属サッシに利用できる。
【図面の簡単な説明】
【００２１】
【図１】本発明の実施例を示す建造物の開口に取付けられた金属サッシの縦断面図である。
【図２】図１の金属サッシの１枚の要部拡大縦断面図である。
【図３】本発明の第２実施例の金属サッシ部の要部拡大縦断面図である。
【図４】本発明の第３実施例の金属サッシ部の要部拡大縦断面図である
【図５】本発明の第４実施例の金属サッシ部の要部拡大縦断面図である。
【符号の説明】
【００２２】
１          鴨居
２          敷居
３          金属サッシ（６，７）
４          横枠
５          縦枠
６          金属サッシ部（４，５）
７          ガラス
８          非金属製封止板(８ａ，８ｂ)
８ａ        非金属製封止板の外周側の金属サッシ部を覆うサッシ部被覆部材
８ｂ        非金属製封止板の内側のガラスを覆うガラス被覆部材
８ｃ        金属サッシ部の室内側に露出する側部を覆うサッシ部被覆部材
９          封止板取付け手段
９ａ        封止板取付け手段であるネジ
９ｂ        封止板取付け手段である断面コ状の留め金
１０          戸車
１１          非金属製封止板とガラスの間に形成された気体層
１２          非金属製封止板と金属サッシ部の間に弾性体
１５          ロック受部材
１６          開口
１７          ケーシング
１８          ロック部材
１９          シーリング材
Ｘ          シ−リング材
【図１】
2009091721.tif 000003
【図２】
2009091721.tif 000004
【図３】
2009091721.tif 000005
【図４】
2009091721.tif 000006
【図５】
2009091721.tif 000007